(57)【要約】【課題】卓上にして使用する形態と、壁掛けにして使用する形態とのいずれか一方を選択してイオン発生機を設置することが可能な、卓上・壁掛け兼用型イオン発生機、を提供する。【解決手段】卓上・壁掛け兼用型イオン発生機は、イオンを送出するイオン発生機（２０）と、イオン発生機（２０）を支持するスタンド（４０）とを備える。スタンド（４０）は、フック形状を有する第１脚部（４３）を含み、イオン発生機（２０）が取り付けられるベース部材（４１）と、第２脚部（５２）を含み、ベース部材（４１）に対して回動可能に連結される可動部材（５１）とを有する。イオン発生機（２０）を卓上にして使用する場合、可動部材（５１）は、第２脚部（５２）が第１脚部（４３）と第１の角度をなす第１ポジションに保持される。イオン発生機（２０）を壁掛けにして使用する場合、第１脚部（４３）が壁に対して係止される。【選択図】図１１
2015078814.tif 000002
【特許請求の範囲】
【請求項１】
イオンを送出するイオン発生機と、
前記イオン発生機を支持するスタンドとを備え、
前記スタンドは、
フック形状を有する第１脚部を含み、前記イオン発生機が取り付けられるベース部材と、
第２脚部を含み、前記ベース部材に対して回動可能に連結される可動部材とを有し、
前記イオン発生機を卓上にして使用する場合、前記可動部材は、前記第２脚部が前記第１脚部と第１の角度をなす第１ポジションに保持され、
前記イオン発生機を壁掛けにして使用する場合、前記第１脚部が壁に対して係止される、卓上・壁掛け兼用型イオン発生機。
【請求項２】
前記イオン発生機を壁掛けにして使用する場合、前記可動部材は、前記第２脚部が前記第１脚部と９０°よりも大きく１８０°よりも小さい第２の角度をなす第２ポジションに保持される、請求項１に記載の卓上・壁掛け兼用型イオン発生機。
【請求項３】
前記イオン発生機は、前記ベース部材と対面する背面部を含むケーシングを有し、
前記ケーシングには、前記背面部に設けられ、空気を吸い込む吸い込み口が形成され、
前記イオン発生機を壁掛けにして使用する場合、前記第２ポジションに保持された前記可動部材が壁に当接することによって、前記吸い込み口が壁から離間して位置決めされる、請求項２に記載の卓上・壁掛け兼用型イオン発生機。
【請求項４】
前記イオン発生機は、前記ベース部材と対面する背面部を含むケーシングを有し、
前記背面部に接続されるプラグを有し、前記イオン発生機に電力を供給するためのケーブルをさらに備え、
前記イオン発生機を壁掛けにして使用する場合、前記第２ポジションに保持された前記可動部材が壁に当接することによって、前記プラグが壁から離間して位置決めされる、請求項２または３に記載の卓上・壁掛け兼用型イオン発生機。
【請求項５】
前記イオン発生機を卓上にして使用する場合、前記可動部材は、前記第２脚部が前記第１脚部と複数の角度をなす多段階のポジションに保持される、請求項１から４のいずれか１項に記載の卓上・壁掛け兼用型イオン発生機。
【請求項６】
前記イオン発生機は、前記ベース部材に対して着脱可能に設けられる、請求項１から５のいずれか１項に記載の卓上・壁掛け兼用型イオン発生機。
【発明の詳細な説明】
【技術分野】
【０００１】
この発明は、卓上・壁掛け兼用型イオン発生機に関する。
【背景技術】
【０００２】
装着時に衣服が正面空気吸入口を塞ぎ、空気の吸入ができない状態であっても、送風が継続されることを目的とした携帯用送風機が、特開２０１２−７５９７号公報に開示されている（特許文献１）。特許文献１に開示された携帯用送風機は、ファンを収容するケースを備える。ケースの上面および正面にそれぞれ送風口および第１空気吸入口が設けられ、さらにケースの底面に第２空気吸入口が設けられる。
【０００３】
また、壁に傾けて掛ける際に筺体を大きく突出させないことを目的とした卓上・壁掛け兼用型電子機器が、特開２０１１−７８０６１号公報に開示されている（特許文献２）。特許文献２に開示された卓上・壁掛け兼用型電子機器は、電子機器としての電話機の筺体と、その筺体の背面に回動自在に軸支されたスタンドとから構成されている。スタンドには、電話機を壁面に設置する場合にフックに掛けられる第一の壁掛け部および第二の壁掛け部が設けられている。
【先行技術文献】
【特許文献】
【０００４】
【特許文献１】特開２０１２−７５９７号公報
【特許文献２】特開２０１１−７８０６１号公報
【発明の概要】
【発明が解決しようとする課題】
【０００５】
空気を浄化したり脱臭したりすることを目的に、イオン発生機が利用されている。このイオン発生機では、イオン（プラスイオン・マイナスイオン）の送出によって、空気中に浮遊する細菌の除去、ウイルスの不活性化、付着臭の分解・除去、または浮遊臭いの原因となる菌の作用の抑制など、各種の効果が奏される。
【０００６】
一方、このようなイオン発生機は、一般的に室内に設置されて使用される。この際、イオン発生機を多彩なシチュエーションで利用するために、卓上にして使用する形態と、壁掛けにして使用する形態とのいずれか一方を選択して、イオン発生機を設置したいという要求がある。
【０００７】
そこでこの発明の目的は、上記の課題を解決することであり、卓上にして使用する形態と、壁掛けにして使用する形態とのいずれか一方を選択してイオン発生機を設置することが可能な、卓上・壁掛け兼用型イオン発生機を提供することである。
【課題を解決するための手段】
【０００８】
この発明に従った卓上・壁掛け兼用型イオン発生機は、イオンを送出するイオン発生機と、イオン発生機を支持するスタンドとを備える。スタンドは、フック形状を有する第１脚部を含み、イオン発生機が取り付けられるベース部材と、第２脚部を含み、ベース部材に対して回動可能に連結される可動部材とを有する。イオン発生機を卓上にして使用する場合、可動部材は、第２脚部が第１脚部と第１の角度をなす第１ポジションに保持される。イオン発生機を壁掛けにして使用する場合、第１脚部が壁に対して係止される。
【０００９】
また好ましくは、イオン発生機を壁掛けにして使用する場合、可動部材は、第２脚部が第１脚部と９０°よりも大きく１８０°よりも小さい第２の角度をなす第２ポジションに保持される。
【００１０】
また好ましくは、イオン発生機は、ベース部材と対面する背面部を含むケーシングを有する。ケーシングには、背面部に設けられ、空気を吸い込む吸い込み口が形成される。イオン発生機を壁掛けにして使用する場合、第２ポジションに保持された可動部材が壁に当接することによって、吸い込み口が壁から離間して位置決めされる。
【００１１】
また好ましくは、イオン発生機は、ベース部材と対面する背面部を含むケーシングを有する。卓上・壁掛け兼用型イオン発生機は、背面部に接続されるプラグを有し、イオン発生機に電力を供給するためのケーブルをさらに備える。イオン発生機を壁掛けにして使用する場合、第２ポジションに保持された可動部材が壁に当接することによって、プラグが壁から離間して位置決めされる。
【００１２】
また好ましくは、イオン発生機を卓上にして使用する場合、可動部材は、第２脚部が第１脚部と複数の角度をなす多段階のポジションに保持される。
【００１３】
また好ましくは、イオン発生機は、ベース部材に対して着脱可能に設けられる。
【発明の効果】
【００１４】
以上に説明したように、この発明に従えば、卓上にして使用する形態と、壁掛けにして使用する形態とのいずれか一方を選択してイオン発生機を設置することが可能な、卓上・壁掛け兼用型イオン発生機を提供することができる。
【図面の簡単な説明】
【００１５】
【図１】この発明の実施の形態１における卓上・壁掛け兼用型イオン発生機（卓上使用形態）を示す斜視図である。
【図２】図１中の卓上・壁掛け兼用型イオン発生機を背面側から見た斜視図である。
【図３】この発明の実施の形態１における卓上・壁掛け兼用型イオン発生機（壁掛け使用形態）を示す斜視図である。
【図４】図３中の卓上・壁掛け兼用型イオン発生機を背面側から見た斜視図である。
【図５】イオン発生機を正面側から見た斜視図である。
【図６】イオン発生機を背面側から見た斜視図である。
【図７】スタンド（第２脚部が倒伏位置）を正面側から見た斜視図である。
【図８】スタンド（第２脚部が倒伏位置）を背面側から見た斜視図である。
【図９】スタンド（第２脚部が起立位置）を背面側から見た斜視図である。
【図１０】図１中の卓上・壁掛け兼用型イオン発生機の卓上使用形態を示す側面図である。
【図１１】図３中の卓上・壁掛け兼用型イオン発生機の壁掛け使用形態を示す側面図である。
【図１２】この発明の実施の形態２における卓上・壁掛け兼用型イオン発生機の卓上使用形態を示す斜視図である。
【図１３】この発明の実施の形態３におけるイオン発生機の車載使用形態を示す側面図である。
【図１４】この発明の実施の形態４におけるイオン発生機の車載使用形態を示す斜視図である。
【図１５】図１４中の留め付け部材を示す側面図である。
【図１６】図１５中のＸＶＩ−ＸＶＩ線上に沿った留め付け部材を示す断面図である。
【図１７】図１４中の留め付け部材を示す断面図である。
【図１８】この発明の実施の形態５におけるイオン発生機に設けられる留め付け部材を示す斜視図である。
【図１９】図１８中の留め付け部材の使用形態を示す斜視図である。
【発明を実施するための形態】
【００１６】
この発明の実施の形態について、図面を参照して説明する。なお、以下で参照する図面では、同一またはそれに相当する部材には、同じ番号が付されている。
【００１７】
（実施の形態１）
図１は、この発明の実施の形態１における卓上・壁掛け兼用型イオン発生機（卓上使用形態）を示す斜視図である。図２は、図１中の卓上・壁掛け兼用型イオン発生機を背面側から見た斜視図である。図３は、この発明の実施の形態１における卓上・壁掛け兼用型イオン発生機（壁掛け使用形態）を示す斜視図である。図４は、図３中の卓上・壁掛け兼用型イオン発生機を背面側から見た斜視図である。
【００１８】
図１から図４を参照して、本実施の形態における卓上・壁掛け兼用型イオン発生機１０は、イオンを室内に送出するイオン発生機２０と、イオン発生機２０を支持するスタンド４０とを有する。イオン発生機２０は、可変式のスタンド４０を用いることによって、卓上にして使用する形態と、壁掛けにして使用する形態とのいずれか一方により室内に設置される。
【００１９】
イオン発生機２０は、プラスイオンＨ＋（Ｈ２Ｏ）ｎ（ｎは０を含む任意の整数)およびマイナスイオンＯ２−（Ｈ２Ｏ）ｍ（ｍは０を含む任意の整数）を室内に送出し、これらのイオンにより空気中のウイルスを不活性化もしくは死滅させる機能を有する。イオン発生機２０は、持ち運び可能なポータブルタイプである。イオン発生機２０は、スタンド４０に対して着脱可能に設けられている。
【００２０】
スタンド４０は、イオン発生機２０を卓上にして使用する場合に、イオン発生機２０を卓上で支える脚として機能し、イオン発生機２０を壁掛けにして使用する場合に、イオン発生機２０を壁に対して引っ掛ける吊り具として機能する。スタンド４０は、イオン発生機２０を卓上にして使用する場合と、イオン発生機２０を壁掛けにして使用する場合とで、異なる形態で用いられる。
【００２１】
図５は、イオン発生機を正面側から見た斜視図である。図６は、イオン発生機を背面側から見た斜視図である。図５および図６を参照して、イオン発生機２０のより具体的な構造について説明する。
【００２２】
イオン発生機２０は、ケーシング２１を有する。ケーシング２１には、放電によりイオンを発生するイオン発生部（不図示）と、イオン発生部で発生したイオンを室内に放出させるためのファン（不図示）とが収容されている。
【００２３】
ケーシング２１は、略直方体の筺体形状を有する。ケーシング２１は、その構成部位として、正面部２２および背面部２３を有する。正面部２２は、イオンを送出しようとする空間に面し、背面部２３は、その反対側に面する。イオン発生機２０を壁掛けにして使用する場合、背面部２３は、壁に面する。
【００２４】
ケーシング２１は、正面部２２を正面から見た場合の２辺の長さよりも、正面部２２と背面部２３とを結ぶ方向の１辺の長さ（厚み）の方が小さくなる、薄板形状の外観を有する。イオン発生機２０は、卓上にして使用する場合と、壁掛けにして使用する場合とのいずれにおいても、ケーシング２１の一方端２１ｐが上端となり、ケーシング２１の他方端２１ｑが下端となるように設置される。
【００２５】
ケーシング２１には、吸い込み口２６および吹き出し口２５が形成されている。吸い込み口２６および吹き出し口２５は、ケーシング２１の内外の空間を互いに連通させるように形成されている。
【００２６】
吸い込み口２６は、背面部２３に設けられ、吹き出し口２５は、正面部２２に設けられている。吸い込み口２６は、ケーシング２１の一方端２１ｐよりも他方端２１ｑに近い位置に設けられている。吹き出し口２５は、ケーシング２１の他方端２１ｑよりも一方端２１ｐに近い位置に設けられている。吹き出し口２５は、ケーシング２１の一方端２１ｐに隣り合って設けられている。
【００２７】
イオン発生機２０が設置された室内の空気は、ファン（不図示）の駆動に伴って吸い込み口２６を通じてケーシング２１内に吸い込まれる。ケーシング２１内に吸い込まれた空気は、イオン発生部（不図示）において発生したイオンとともに、吹き出し口２５を通じて室内に吹き出される。
【００２８】
ケーシング２１には、電力入力部２８が設けられている。本実施の形態では、電力入力部２８が、背面部２３に設けられている。電力入力部２８は、ケーシング２１の一方端２１ｐよりも他方端２１ｑに近い位置に設けられている。電力入力部２８は、ケーシング２１の他方端２１ｑに隣り合って設けられている。電力入力部２８には、外部電源から延びるケーブル３１のプラグ３２（図３を参照のこと）が接続され、そのケーブル３１を通じてイオン発生機２０に駆動用の電力が供給される。
【００２９】
ケーシング２１には、取り付け部２７がさらに設けられている。取り付け部２７は、背面部２３に設けられている。取り付け部２７は、ケーシング２１の他方端２１ｑよりも一方端２１ｐに近い位置に設けられている。取り付け部２７は、ケーシング２１の一方端２１ｐと吸い込み口２６との間に設けられている。
【００３０】
イオン発生機２０は、取り付け部２７を介してスタンド４０に取り付けられる。スタンド４０に対するイオン発生機２０の取り付け構造は特に限定されないが、本実施の形態では、取り付け部２７が一方向に延びる溝形状を有する。取り付け部２７をその溝方向にスライドさせながらスタンド４０の被取り付け部４２（図７を参照のこと）に嵌合させることによって、イオン発生機２０がスタンド４０に取り付けられる。
【００３１】
図７は、スタンド（第２脚部が倒伏位置）を正面側から見た斜視図である。図８は、スタンド（第２脚部が倒伏位置）を背面側から見た斜視図である。図９は、スタンド（第２脚部が起立位置）を背面側から見た斜視図である。図７から図９を参照して、スタンド４０のより具体的な構造について説明する。
【００３２】
スタンド４０は、ベース部材４１および可動部材５１が組み合わさって構成されている。イオン発生機２０がスタンド４０に取り付けられた状態において、ベース部材４１は、イオン発生機２０と対向して設けられている。ベース部材４１は、ケーシング２１の背面部２３と対面して設けられている。可動部材５１は、ベース部材４１を挟んでイオン発生機２０の反対側に設けられている（図２を参照のこと）。
【００３３】
ベース部材４１は、その構成部位として、第１脚部４３、被取り付け部４２および壁部４４を有する。第１脚部４３は、イオン発生機２０を卓上にして使用する場合に、卓上に載置される脚形状を有する。さらに、第１脚部４３は、イオン発生機２０を壁掛けにして使用する場合に、壁に設けられた壁掛け金具や突起などに引っ掛けることが可能なフック形状を有する。
【００３４】
被取り付け部４２は、ベース部材４１の正面側（イオン発生機２０が配置される側）に設けられている。被取り付け部４２は、イオン発生機２０の取り付け部２７が着脱可能に取り付けられる形状、本実施の形態では、溝形状を有する取り付け部２７が嵌合可能な凸形状を有する。壁部４４は、ベース部材４１の背面側（可動部材５１が配置される側）に設けられている。壁部４４は、被取り付け部４２の裏側に設けられている。壁部４４は、イオン発生機２０から離れる方向に立設される壁形状を有する。
【００３５】
可動部材５１は、ベース部材４１に対して回動可能に連結されている。可動部材５１は、その構成部位として、第２脚部５２および回動部５６を有する。回動部５６は、仮想上の中心線１０１（図８および図９を参照のこと）を中心に軸状に延びる形状を有する。回動部５６は、壁部４４に対して回動可能に支持されている。第２脚部５２は、イオン発生機２０を卓上にして使用する場合に、卓上に載置される脚形状を有する。第２脚部５２は、回動部５６から一方向に延伸する脚形状を有する。
【００３６】
可動部材５１は、図７および図８中に示す第２脚部５２がベース部材４１上に倒伏する位置と、図９中に示す第２脚部５２がベース部材４１上から起立する位置との間で回動可能に設けられている。第２脚部５２は、倒伏位置に位置決めされた時、第１脚部４３と重なり合う。第２脚部５２は、起立位置に位置決めされた時、第１脚部４３と９０°よりも大きく１８０°よりも小さい角度をなす。
【００３７】
スタンド４０は、第１脚部４３と所定の角度をなす位置に第２脚部５２を保持するための保持機構部をさらに有する。本実施の形態では、その保持機構部として、ベース部材４１に複数の突出部４５が設けられている。突出部４５は、壁部４４の内壁面から突出して設けられている。複数の突出部４５は、可動部材５１の回動方向に間隔を隔てて設けられている。第２脚部５２は、複数の突出部４５の間に位置決めされることによって、第１脚部４３と所定の角度をなす位置に保持される。
【００３８】
第１脚部４３および第２脚部５２には、それぞれ、開口部４６および開口部５３が形成されている。開口部４６は、ベース部材４１の正面側および背面側の間を貫通するように形成されている。第１脚部４３は、開口部４６によってフック形状に形成されている。第２脚部５２が倒伏位置に位置決めされた状態で、開口部５３は、可動部材５１の正面側および背面側の間を貫通するように形成されている。第２脚部５２が倒伏位置に位置決めされた状態で、開口部５３は、開口部４６と部分的に重なり合うように形成されている。
【００３９】
続いて、本実施の形態における卓上・壁掛け兼用型イオン発生機１０の卓上使用形態および壁掛け使用形態について詳細に説明する。
【００４０】
図１０は、図１中の卓上・壁掛け兼用型イオン発生機の卓上使用形態を示す側面図である。
【００４１】
図１、図２および図１０を参照して、イオン発生機２０を卓上にして使用する場合、ケーシング２１の一方端２１ｐが、被取り付け部４２に対して第１脚部４３の反対側に位置決めされ、ケーシング２１の他方端２１ｑが、被取り付け部４２と第１脚部４３との間に位置決めされるように、イオン発生機２０がスタンド４０に取り付けられる。
【００４２】
可動部材５１は、第２脚部５２が第１脚部４３と角度θ１（図１０を参照のこと）をなすポジションに保持される。代表的には、角度θ１は、０°よりも大きく９０°以下の角度である。角度θ１は、９０°よりも大きい角度であってもよいが、その場合であっても、９０°に近い角度であることが好ましい。
【００４３】
イオン発生機２０は、第１脚部４３および第２脚部５２に支えられて卓上に設置される。
【００４４】
イオン発生機２０を卓上にして使用する場合、吸い込み口２６の直上には、開口部４６が配置されている（図２を参照のこと）。このような構成により、吸い込み口２６を通じてケーシング２１内に取り込まれる空気の流れが、スタンド４０（ベース部材４１）によって妨げられることを防止できる。また、背面部２３の電力入力部２８に接続されたケーブル３１は、開口部４６を通じてケーシング２１から引き出されている。
【００４５】
図１１は、図３中の卓上・壁掛け兼用型イオン発生機の壁掛け使用形態を示す側面図である。
【００４６】
図３、図４および図１１を参照して、イオン発生機２０を壁掛けにして使用する場合、スタンド４０に対するイオン発生機２０の取り付け方向が上下逆向きとされる。すなわち、ケーシング２１の一方端２１ｐが、被取り付け部４２と第１脚部４３との間に位置決めされ、ケーシング２１の他方端２１ｑが、被取り付け部４２に対して第１脚部４３の反対側に位置決めされるように、イオン発生機２０がスタンド４０に取り付けられる。
【００４７】
可動部材５１は、ベース部材４１に対して回動されることにより、第２脚部５２が第１脚部４３と９０°よりも大きく１８０°よりも小さい角度θ２をなすポジション（第２脚部５２の起立位置）に保持される。一般的に、角度θ２は、前述の角度θ１よりも大きい角度である。
【００４８】
イオン発生機２０は、第１脚部４３が壁に設けられた壁掛け金具や突起などに引っ掛けることによって、壁掛けされる。この際、第２脚部５２を壁に当接させることによって、イオン発生機２０を壁から距離を隔てて位置決めすることができる。これにより、ケーシング２１の背面部２３に設けられた吸い込み口２６を壁から離間させ、ケーシング２１内に吸い込まれる空気の流れが壁によって妨げられることを防止できる。また、ケーシング２１の背面部２３に接続されるケーブル３１のプラグ３２を壁から離間させ、プラグ３２と壁とが干渉することを防止できる。
【００４９】
このように構成された、この発明の実施の形態１における卓上・壁掛け兼用型イオン発生機１０によれば、卓上にして使用する形態と、壁掛けにして使用する形態とのいずれか一方を選択してイオン発生機２０を設置することにより、より多彩なシチュエーションでイオン発生機２０を利用することができる。
【００５０】
（実施の形態２）
図１２は、この発明の実施の形態２における卓上・壁掛け兼用型イオン発生機の卓上使用形態を示す斜視図である。本実施の形態における卓上・壁掛け兼用型イオン発生機は、実施の形態１における卓上・壁掛け兼用型イオン発生機１０と比較して、基本的には同様の構造を備える。以下、重複する構造についてはその説明を繰り返さない。
【００５１】
図１および図１２を参照して、本実施の形態では、イオン発生機２０を卓上にして使用する場合に、可動部材５１が、第２脚部５２が第１脚部４３と複数の角度をなす多段階のポジションに保持される。一例を挙げれば、可動部材５１は、第２脚部５２が第１脚部４３と３０°、４５°、６０°、９０°の角度をなすポジションに保持される。
【００５２】
このような構成によれば、イオン発生機２０を卓上にして使用する場合に、吹き出し口２５からのイオン吹き出し方向を調節することができる。
【００５３】
なお、イオン発生機２０を壁掛けにして使用する場合においても、可動部材５１が、第２脚部５２が第１脚部４３と複数の角度なす多段階のポジションに保持されてもよい。この場合、イオン発生機２０と壁との距離を調節したり、吹き出し口２５からのイオン吹き出し方向を調節したりできる。
【００５４】
このように構成された、この発明の実施の形態２における卓上・壁掛け兼用型イオン発生機によれば、実施の形態１に記載の効果を同様に奏することができる。
【００５５】
（実施の形態３）
図１３は、この発明の実施の形態３におけるイオン発生機の車載使用形態を示す側面図である。図１３を参照して、本実施の形態では、イオン発生機２０が、上記の卓上にして使用する場合および壁掛けにして使用する場合に加えて、車両上に設けられた送風口６０のルーバ６１に装着した形態でも使用される。
【００５６】
この場合、イオン発生機２０は、スタンド４０に替えて、留め付け部材７１に取り付けられる。留め付け部材７１は、ルーバ６１に留め付けられる。
【００５７】
留め付け部材７１は、その構成部位として、クリップ部７４および可動部７５を有する。クリップ部７４は、ルーバ６１を挟み込み可能なクリップ形状を有する。クリップ部７４は、背面部２３から延出する留め付け部材７１の先端部に設けられている。可動部７５は、ケーシング２１の姿勢が変化するように可動する。可動部７５は、背面部２３とクリップ部７４との間に設けられている。本実施の形態では、可動部７５が、球体状の先端を有する軸と、その球体状の先端を摺動可能に支持する軸受とからなるピボット構造により構成されている。
【００５８】
このように本実施の形態では、イオン発生機２０が、車両上に設けられた送風口６０のルーバ６１に装着した形態でも使用される。この場合、送風口６０から車室内に送風された空気をケーシング２１内に取り込むため、吸い込み口２６をケーシング２１の背面部２３に設ける必要がある。一方、イオン発生機２０を壁掛けにして使用する場合、壁と吸い込み口２６とが近接して、ケーシング２１内への空気の吸い込みが妨げられる懸念がある。そこで本実施の形態では、第２脚部５２を可変式として壁に当接させることによって、このような懸念を効果的に解消することができる。
【００５９】
（実施の形態４）
図１４は、この発明の実施の形態４におけるイオン発生機の車載使用形態を示す斜視図である。本実施の形態におけるイオン発生機の車載構造は、実施の形態３におけるイオン発生機の車載構造と比較して、基本的には同じ構造を備える。以下、重複する構造については、その説明を繰り返さない。
【００６０】
図１４を参照して、イオン発生機２０は、実施の形態３と同様に、車両上に設けられた送風口６０のルーバ６１に装着した形態でも使用される。イオン発生機２０は、スタンド４０に替えて、留め付け部材７２に取り付けられる。留め付け部材７２は、ルーバ６１に留め付けられる。
【００６１】
図１５は、図１４中の留め付け部材を示す側面図である。図１６は、図１５中のＸＶＩ−ＸＶＩ線上に沿った留め付け部材を示す断面図である。図１７は、図１４中の留め付け部材を示す断面図である。
【００６２】
図１５から図１７を参照して、留め付け部材７２は、クリップ部７４および可動部７５と、ルーバ６１に対するクリップ部７４の挟み具合を調整するための機構として、クリップ調整グリップ８１、クリップ解放グリップ８０、シャフト部品８４、ネジ部品８２および歯車８３を有する。
【００６３】
クリップ調整グリップ８１およびクリップ解放グリップ８０は、クリップ部７４と可動部７５との間に設けられている。クリップ調整グリップ８１およびクリップ解放グリップ８０は、回転可能に設けられ、ルーバ６１に対するクリップ部７４の挟み具合を調整する際に回転操作される。
【００６４】
シャフト部品８４は、クリップ調整グリップ８１からクリップ部７４に向けて延びるシャフト形状を有する。シャフト部品８４は、ネジ部品８２および歯車８３を介してクリップ調整グリップ８１に連結されている。ネジ部品８２は、筒形状を有し、その内周面にネジが形成されている。シャフト部品８４は、ネジ部品８２にネジ結合されている。シャフト部品８４およびクリップ調整グリップ８１は、回転方向を一方向に制限するラチェット機構と、一定以上のトルクが掛かった場合に空まわりするバネ機構とを用いて、互いに連結されている。
【００６５】
クリップ部７４は、対向配置されたクリップ片７４ｐおよびクリップ片７４ｑから構成されている。クリップ片７４ｐおよびクリップ片７４ｑの一方端には、ルーバ６１を把持するためのクリップ端部７４ａが設けられ、クリップ片７４ｐおよびクリップ片７４ｑの他方端には、シャフト部品８４に連結されるクリップ端部７４ｂが設けられている。
【００６６】
シャフト部品８４は、鍔部８５を有する。鍔部８５は、クリップ部７４に向けて延びるシャフト部品８４の先端に設けられている。鍔部８５は、クリップ片７４ｐのクリップ端部７４ｂと、クリップ片７４ｑのクリップ端部７４ｂとの間に位置決めされている。クリップ片７４ｐおよびクリップ片７４ｑのクリップ端部７４ｂは、鍔部８５に接触する位置において、シャフト部品８４の軸方向に対して斜め方向に延びている。
【００６７】
クリップ調整グリップ８１が図１６中の矢印に示すように時計周りに回転操作されると、その内側に配置された歯車８３およびネジ部品８２も時計回りに回転する。このとき、ネジ部品８２にネジ結合されたシャフト部品８４が、クリップ部７４から遠ざかる方向（図１７中の矢印に示す方向）に変位する。これにより、クリップ片７４ｐのクリップ端部７４ａとクリップ片７４ｑのクリップ端部７４ａとの間隔が狭まるように、クリップ部７４の開き度が変化する。
【００６８】
本実施の形態では、シャフト部品８４とクリップ調整グリップ８１との連結にラチェット機構を用いた構成により、クリップ調整グリップ８１は、図１６中の矢印に示す一方向にのみ回転する。また、回転トルクに一定以上の負荷が掛かるとクリップ調整グリップ８１が空まわりするため、クリップ部７４によるルーバ６１の締め過ぎを防止することができる。
【００６９】
一方、クリップ解放グリップ８０が回転操作されると、シャフト部品８４が、クリップ部７４に近づく方向（図１７中の矢印に示す方向の逆方向）に変位する。これにより、クリップ片７４ｐのクリップ端部７４ａとクリップ片７４ｑのクリップ端部７４ａとの間隔が広がるように、クリップ部７４の開き度が変化する。
【００７０】
このような構成によれば、ルーバ６１に対するクリップ部７４の締め過ぎや締め込み不足を防止することができる。これにより、留め付け部材７２の取り付け不良を低減することができる。
【００７１】
（実施の形態５）
図１８は、この発明の実施の形態５におけるイオン発生機に設けられる留め付け部材を示す斜視図である。図１９は、図１８中の留め付け部材の使用形態を示す斜視図である。図１８および図１９を参照して、本実施の形態におけるイオン発生機の車載構造は、実施の形態４におけるイオン発生機の車載構造と比較して、基本的には同じ構造を備える。以下、重複する構造については、その説明を繰り返さない。
【００７２】
図１８および図１９を参照して、本実施の形態では、留め付け部材７２が、落下防止部９０および留め具９１をさらに有する。落下防止部９０は、たとえば、針金のような針状部材からなり、その一方端がフック状に曲げられている。落下防止部９０は、留め具９１に挿通されることによって、留め付け部材７２に取り付けられている。落下防止部９０は、留め具９１に対してスライド可能に挿通されている。
【００７３】
図１９中に示すように、ルーバ６１への留め付け部材７２の装着時、留め付け部材７２から延伸する落下防止部９０のフック状部分がルーバ６１の縁部に掛けられる。これにより、イオン発生機２０の落下を防止することができる。この際、留め具９１に対して落下防止部９０をスライドさせることによって、ルーバ６１の形状に合わせて落下防止部９０のフック状部分の位置を調整することができる。
【００７４】
本発明の構成および作用効果についてまとめて説明すると、以下のとおりである。なお、発明の構成に実施の形態に記載の参照番号を付すが、これは一例である。
【００７５】
この発明に従った卓上・壁掛け兼用型イオン発生機は、イオンを送出するイオン発生機（２０）と、イオン発生機（２０）を支持するスタンド（４０）とを備える。スタンド（４０）は、フック形状を有する第１脚部（４３）を含み、イオン発生機（２０）が取り付けられるベース部材（４１）と、第２脚部（５２）を含み、ベース部材（４１）に対して回動可能に連結される可動部材（５１）とを有する。イオン発生機（２０）を卓上にして使用する場合、可動部材（５１）は、第２脚部（５２）が第１脚部（４３）と第１の角度（θ１）をなす第１ポジションに保持される。イオン発生機（２０）を壁掛けにして使用する場合、第１脚部（４３）が壁に対して係止される。
【００７６】
このように構成された卓上・壁掛け兼用型イオン発生機によれば、第１脚部および第２脚部を卓上でイオン発生機を支える脚として用い、または、第１脚部をイオン発生機を壁に掛ける際の吊り具として用いることにより、卓上にして使用する形態と、壁掛けにして使用する形態とのいずれか一方を選択して、イオン発生機を設置することができる。
【００７７】
また好ましくは、イオン発生機（２０）を壁掛けにして使用する場合、可動部材（５１）は、第２脚部（５２）が第１脚部（４３）と９０°よりも大きく１８０°よりも小さい第２の角度（θ２）をなす第２ポジションに保持される。
【００７８】
このように構成された卓上・壁掛け兼用型イオン発生機によれば、第２ポジションに保持された可動部材を壁に当接させることによって、イオン発生機を壁から距離を隔てて位置決めすることができる。
【００７９】
また好ましくは、イオン発生機（２０）は、ベース部材（４１）と対面する背面部（２３）を含むケーシング（２１）を有する。ケーシング（２１）には、背面部（２３）に設けられ、空気を吸い込む吸い込み口（２６）が形成される。イオン発生機（２０）を壁掛けにして使用する場合、第２ポジションに保持された可動部材（５１）が壁に当接することによって、吸い込み口（２６）が壁から離間して位置決めされる。
【００８０】
このように構成された卓上・壁掛け兼用型イオン発生機によれば、吸い込み口を通じてケーシング内部に吸い込まれる空気の流れが、壁によって妨げられることを防止できる。
【００８１】
また好ましくは、イオン発生機（２０）は、ベース部材（４１）と対面する背面部（２３）を含むケーシング（２１）を有する。卓上・壁掛け兼用型イオン発生機は、背面部（２３）に接続されるプラグ（３２）を有し、イオン発生機（２０）に電力を供給するためのケーブル（３１）をさらに備える。イオン発生機（２０）を壁掛けにして使用する場合、第２ポジションに保持された可動部材（５１）が壁に当接することによって、プラグ（３２）が壁から離間して位置決めされる。
【００８２】
このように構成された卓上・壁掛け兼用型イオン発生機によれば、プラグと壁とが干渉することを防止できる。
【００８３】
また好ましくは、イオン発生機（２０）を卓上にして使用する場合、可動部材（５１）は、第２脚部（５２）が第１脚部（４３）と複数の角度をなす多段階のポジションに保持される。
【００８４】
このように構成された卓上・壁掛け兼用型イオン発生機によれば、イオン発生機を卓上にして使用する場合に、イオンを所望の方向に送出させることができる。
【００８５】
また好ましくは、イオン発生機（２０）は、ベース部材（４１）に対して着脱可能に設けられる。
【００８６】
このように構成された卓上・壁掛け兼用型イオン発生機によれば、イオン発生機をスタンドから取り外すことにより、イオン発生機のさらに別のシチュエーションでの使用が可能となる。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８８】
この発明は、主に、持ち運び可能なポータブルタイプのイオン発生機に適用される。
【符号の説明】
【００８９】
１０  卓上・壁掛け兼用型イオン発生機、２０  イオン発生機、２１  ケーシング、２１ｐ  一方端、２１ｑ  他方端、２２  正面部、２３  背面部、２５  吹き出し口、２６  吸い込み口、２８  電力入力部、３１  ケーブル、３２  プラグ、４０  スタンド、４１  ベース部材、４２  被取り付け部、４４  壁部、４５  突出部、４６，５３  開口部、５１  可動部材、５２  第２脚部、５６  回動部、６０  送風口、６１  ルーバ、７１，７２  留め付け部材、７４  クリップ部、７４ａ，７４ｂ  クリップ端部、７４ｐ，７４ｑ  クリップ片、７５  可動部、８０  クリップ解放グリップ、８１  クリップ調整グリップ、８２  ネジ部品、８３  歯車、８４  シャフト部品、８５  鍔部、９０  落下防止部、９１  留め具、１０１  中心線。
【図１】
2015078814.tif 000003
【図２】
2015078814.tif 000004
【図３】
2015078814.tif 000005
【図４】
2015078814.tif 000006
【図５】
2015078814.tif 000007
【図６】
2015078814.tif 000008
【図７】
2015078814.tif 000009
【図８】
2015078814.tif 000010
【図９】
2015078814.tif 000011
【図１０】
2015078814.tif 000012
【図１１】
2015078814.tif 000013
【図１２】
2015078814.tif 000014
【図１３】
2015078814.tif 000015
【図１４】
2015078814.tif 000016
【図１５】
2015078814.tif 000017
【図１６】
2015078814.tif 000018
【図１７】
2015078814.tif 000019
【図１８】
2015078814.tif 000020
【図１９】
2015078814.tif 000021